(57)【特許請求の範囲】
【請求項１】
受信信号に含まれる妨害波を抑圧するアナログバンドパスフィルタと、
上記アナログバンドパスフィルタからの受信信号の振幅を一定にするリミッタアンプと、
振幅が一定となった受信信号の位相情報である極座標信号を検出する位相検出部と、
上記位相検出部により検出された極座標信号を振幅一定の直交座標信号に変換する第１の座標変換部と、
上記第１の座標変換部により変換された直交座標信号に含まれる妨害波を畳込み演算により抑圧すると共に、上記畳込み演算による波形歪を生じさせない減衰特性を有するデジタルフィルタと、
上記デジタルフィルタにより妨害波が抑圧された直交座標信号を極座標信号に変換する第２の座標変換部と、
上記第２の座標変換部により変換された極座標信号から遅延検波によりデータを復調する遅延検波部とを備えた遅延検波受信機。
【請求項２】
アナログバンドパスフィルタ及びデジタルフィルタが、受信信号の周波数に近い隣接チャネルの妨害波を抑圧することを特徴とする請求項１記載の遅延検波受信機。
【発明の詳細な説明】
【０００１】
【発明の属する技術分野】
この発明は例えばデジタル移動通信方式に使用される遅延検波受信機に関するものである。
【０００２】
【従来の技術】
一般に、遅延検波受信機にて復調する位相信号はリミッタがかかっており、非線形信号であるためデジタルフィルタをかけた場合に、信号に歪みが生じてしまう。また、位相信号は極座標で表示された極座標信号であり、直交座標系の直交座標信号を扱うデジタルフィルタには適していない。そこで、遅延検波を用いる場合の妨害波を抑圧する方法としては、デジタルフィルタを使用せず、アナログバンドパスフィルタを使用している。
【０００３】
図２はアナログバンドパスフィルタを使用した従来の遅延検波受信機の構成を示すブロック図である。図において、１は受信信号に含まれる妨害波を減衰させるアナログバンドパスフィルタ、２は受信信号の振幅を一定にするリミッタアンプ、３はリミッタアンプの出力信号から位相信号である極座標信号を検出する位相検出部、７は検出された極座標信号から遅延検波によりデータを復調する遅延検波部である。
【０００４】
次に動作について説明する。
アナログバンドパスフィルタ１は入力された受信信号に含まれる妨害波を減衰させるが、この場合、例えば受信信号の希望波の周波数に近い隣接チャネルの妨害波を抑圧させるためには、カットオフ周波数付近で非常に急峻な周波数特性を有するアナログバンドパスフィルタ１を使用する必要がある。リミッタアンプ２は受信信号の振幅を一定にし、位相検出部３はリミッタアンプ２の出力信号から位相信号である極座標信号を検出する。遅延検波部７は検出された極座標信号から遅延検波によりデータを復調して出力する。
【０００５】
このような急峻な周波数特性を有するアナログバンドパスフィルタ１を実現すると、通過帯域内の群遅延特性が劣化してしまい、受信感度特性の劣化を招くこととなる。また、周波数特性及び群遅延特性双方の性能が高いアナログバンドパスフィルタ１を実現できたとしても、非常に高価になったり、又は大型になるという欠点が生じてしまう。
【０００６】
【発明が解決しようとする課題】
従来の遅延検波受信機は以上のように構成されているので、アナログバンドパスフィルタ１のみで受信信号の希望波の周波数に近い隣接チャネルの妨害波を抑圧しようとすると、アナログバンドパスフィルタ１に要求される周波数特性の条件が厳しく実現が困難となり、たとえ実現できたとしても、アナログバンドパスフィルタ１が非常に高価になったり、又は大型になってしまうという課題があった。
【０００７】
この発明は上記のような課題を解決するためになされたもので、アナログバンドパスフィルタ１に厳しい条件を課すことなく、安価で小型のアナログバンドパスフィルタ１を使用して隣接チャネルの妨害波を抑圧できる遅延検波受信機を得ることを目的とする。
【０００８】
【課題を解決するための手段】
この発明に係る遅延検波受信機は、受信信号に含まれる妨害波を抑圧するアナログバンドパスフィルタと、位相検出部により検出された極座標信号を振幅一定の直交座標信号に変換する第１の座標変換部と、直交座標信号に含まれる妨害波を畳込み演算により抑圧すると共に、畳込み演算による波形歪を生じさせない減衰特性を有するデジタルフィルタとを備えたものである。
【０００９】
この発明に係る遅延検波受信機は、アナログバンドパスフィルタ及びデジタルフィルタが、受信信号の周波数に近い隣接チャネルの妨害波を抑圧するものである。
【００１０】
【発明の実施の形態】
以下、この発明の実施の一形態を説明する。
実施の形態１．
図１はこの発明の実施の形態１による遅延検波受信機の構成を示すブロック図である。図において、１は受信信号に含まれる隣接チャネルの妨害波を抑圧するアナログバンドパスフィルタ、２は受信信号の振幅を一定にするリミッタアンプ、３は振幅が一定となった受信信号の位相情報である極座標信号を検出する位相検出部である。
【００１１】
また、図１において、４は極座標信号を振幅一定の直交座標信号に変換する座標変換部（第１の座標変換部）、５は直交座標信号に含まれる隣接チャネルの妨害波を畳込み演算により抑圧するデジタルフィルタ、６はデジタルフィルタ５からの直交座標信号を極座標信号に変換する座標変換部（第２の座標変換部）、７は極座標信号から遅延検波によりデータを復調する遅延検波部である。
【００１２】
次に動作について説明する。
アナログバンドパスフィルタ１は入力された受信信号に含まれる隣接チャネルの信号をある程度抑圧し、リミッタアンプ２はアナログバンドパスフィルタ１からの受信信号の振幅を一定にして出力する。位相検出部３は振幅が一定となった受信信号の位相情報である極座標信号を検出する。位相検出部３からの位相情報は極座標信号であるため、このままではデジタルフィルタ５による畳込み演算ができない。そこで、座標変換部４は極座標信号を振幅一定の直交座標信号に変換（φ→ｘｙ座標変換）する。
【００１３】
デジタルフィルタ５は直交座標信号に含まれる隣接チャネルの妨害波を畳込み演算により抑圧して、隣接チャネルの妨害波が除去された直交座標信号を出力する。この場合、振幅が一定のデータスペクトルは高調波成分を含むために、デジタルフィルタ５による畳込み演算を行うと極座標信号が歪む可能性がある。ここでは、減衰特性が例えば２〜３ｄＢと緩やかで、波形歪みのために受信感度が劣化することのない程度のフィルタタップ係数を有するデジタルフィルタ５を使用する。このように、アナログバンドパスフィルタ１とデジタルフィルタ５を使用して遅延検波受信機の隣接チャネル選択度を向上させている。
【００１４】
座標変換部６は隣接チャネルの妨害波が除去された直交座標信号を極座標信号に変換（ｘｙ→φ座標変換）し、遅延検波部７は極座標信号から遅延検波により隣接チャネルの妨害波が除去されたデータを復調して出力する。
【００１５】
以上のように、この実施の形態１によれば、アナログバンドパスフィルタ１とデジタルフィルタ５を使用して遅延検波受信機の隣接チャネル選択度の向上を図ることにより、アナログバンドパスフィルタ１に厳しい条件を課すことなく、安価で小型のアナログバンドパスフィルタ１を使用して隣接チャネルの妨害波を抑圧できるという効果が得られる。
【００１６】
【発明の効果】
以上のように、この発明によれば、アナログバンドパスフィルタとデジタルフィルタを使用して遅延検波受信機の隣接チャネル選択度の向上を図ることにより、アナログバンドパスフィルタに厳しい条件を課すことなく、安価で小型のアナログバンドパスフィルタを使用して妨害波を抑圧できるという効果がある。
【図面の簡単な説明】
【図１】  この発明の実施の形態１による遅延検波受信機の構成を示すブロック図である。
【図２】  従来の遅延検波受信機の構成を示すブロック図である。
【符号の説明】
１  アナログバンドパスフィルタ、２  リミッタアンプ、３  位相検出部、４
座標変換部、５  デジタルフィルタ、６  座標変換部、７  遅延検波部。
【図１】
0003923351.tif 000002
【図２】
0003923351.tif 000003